(57)【要約】【課題】光電変換素子を有する基板に接続された配線から発生する電磁波ノイズを低減できる画像読取装置を得る。【解決手段】結像レンズ１１６と対向して配置される光電変換素子１１８を有する基板１２０と、基板１２０に一端部が接続され、折り返された配線１３６と、基板１２０の上下方向に対して傾斜し、配線１３６の折り返された部分１３６Ａが接地される導電性の傾斜部１４６と、を備えた画像読取装置１００とする。【選択図】図４
2015186132.tif 000002
【特許請求の範囲】
【請求項１】
結像レンズと対向して配置される光電変換素子を有する基板と、
前記基板に一端部が接続され、折り返された配線と、
前記基板の上下方向に対して傾斜し、前記配線の折り返された部分が接地される導電性の傾斜部と、
を備えた画像読取装置。
【請求項２】
前記配線は、前記基板の下方側を通るように折り返されている請求項１に記載の画像読取装置。
【請求項３】
前記傾斜部の外側には、前記傾斜部と前記配線と前記基板とを覆う導電性のカバー体が設けられている請求項１又は請求項２に記載の画像読取装置。
【請求項４】
前記カバー体の下端部は、前記傾斜部の下端部まで延在されている請求項３に記載の画像読取装置。
【請求項５】
画像読取装置本体の前記基板が配置されている部位の底壁が、他の部位の底壁よりも下方へ突出された突出底壁とされており、前記傾斜部の下端部及び前記カバー体の下端部が、前記他の部位の底壁よりも下方へ延在されている請求項３又は請求項４に記載の画像読取装置。
【請求項６】
原稿画像を読み取るための光電変換素子を有する基板と、
前記基板に一端部が接続され、折り返された配線と、
鉛直方向に対して傾斜し、前記配線の折り返された部分が接触する導電性の傾斜部と、
を備えた画像読取装置。
【請求項７】
前記配線は、静止した原稿画像を読み取るために、他端部側が前記原稿画像に沿って移動し、
前記傾斜部は、前記配線の移動しない一端部側に設けられている請求項６に記載の画像読取装置。
【請求項８】
請求項５に記載の画像読取装置と、
画像形成装置本体に形成され、前記突出底壁を受け入れる受入部と、
を備えた画像形成装置。
【発明の詳細な説明】
【技術分野】
【０００１】
本発明は、画像読取装置及び画像形成装置に関する。
【背景技術】
【０００２】
スキャナ部とプリンタ部とを接続するワイヤーハーネスを凹型形状の導電性部材の凹部に固定した画像形成装置は、従来から知られている（例えば、特許文献１参照）。
【先行技術文献】
【特許文献】
【０００３】
【特許文献１】特開平９−３２１９２５号公報
【発明の概要】
【発明が解決しようとする課題】
【０００４】
本発明は、光電変換素子を有する基板に接続された配線から発生する電磁波ノイズを低減できる画像読取装置を得ることを目的とする。
【課題を解決するための手段】
【０００５】
上記の目的を達成するために、本発明に係る請求項１に記載の画像読取装置は、結像レンズと対向して配置される光電変換素子を有する基板と、前記基板に一端部が接続され、折り返された配線と、前記基板の上下方向に対して傾斜し、前記配線の折り返された部分が接地される導電性の傾斜部と、を備えている。
【０００６】
また、請求項２に記載の画像読取装置は、請求項１に記載の画像読取装置であって、前記配線は、前記基板の下方側を通るように折り返されている。
【０００７】
また、請求項３に記載の画像読取装置は、請求項１又は請求項２に記載の画像読取装置であって、前記傾斜部の外側には、前記傾斜部と前記配線と前記基板とを覆う導電性のカバー体が設けられている。
【０００８】
また、請求項４に記載の画像読取装置は、請求項３に記載の画像読取装置であって、前記カバー体の下端部は、前記傾斜部の下端部まで延在されている。
【０００９】
また、請求項５に記載の画像読取装置は、請求項３又は請求項４に記載の画像読取装置であって、画像読取装置本体の前記基板が配置されている部位の底壁が、他の部位の底壁よりも下方へ突出された突出底壁とされており、前記傾斜部の下端部及び前記カバー体の下端部が、前記他の部位の底壁よりも下方へ延在されている。
【００１０】
また、本発明に係る請求項６に記載の画像読取装置は、原稿画像を読み取るための光電変換素子を有する基板と、前記基板に一端部が接続され、折り返された配線と、鉛直方向に対して傾斜し、前記配線の折り返された部分が接触する導電性の傾斜部と、を備えている。
【００１１】
また、請求項７に記載の画像読取装置は、請求項６に記載の画像読取装置であって、前記配線は、静止した原稿画像を読み取るために、他端部側が前記原稿画像に沿って移動し、前記傾斜部は、前記配線の移動しない一端部側に設けられている。
【００１２】
また、本発明に係る請求項８に記載の画像形成装置は、請求項５に記載の画像読取装置と、画像形成装置本体に形成され、前記突出底壁を受け入れる受入部と、を備えている。
【発明の効果】
【００１３】
請求項１又は請求項６に記載の発明によれば、まっすぐに延ばした配線を平面に接触させて接地させる構成に比べて、電磁波ノイズを安定して低減することができる。
【００１４】
請求項２に記載の発明によれば、基板における配線との接続がある側へ配線を折り曲げる構成と比べて、画像読取装置の幅を小さくすることができる。
【００１５】
請求項３に記載の発明によれば、傾斜部と配線と基板とを覆う導電性のカバー体が設けられていない構成に比べて、外部へ漏れる電磁波ノイズを低減することができる。
【００１６】
請求項４に記載の発明によれば、カバー体の下端部が傾斜部の下端部まで延在されていない構成に比べて、電磁波ノイズを低減することができる。
【００１７】
請求項５に記載の発明によれば、画像読取装置本体の基板が配置されている部位の底壁が、他の部位の底壁よりも下方へ突出された突出底壁とされ、傾斜部の下端部及びカバー体の下端部が、他の部位の底壁よりも下方へ延在されていない構成に比べて、電磁波ノイズを低減することができる。
【００１８】
請求項７に記載の発明によれば、配線の移動する部分で接地をするよりも、安定して電磁波ノイズを低減することができる。
【００１９】
請求項８に記載の発明によれば、突出底壁を受け入れる受入部を画像形成装置本体が備えていない構成に比べて、配線から発生する電磁波ノイズを低減できる画像読取装置の床からの高さ位置が高くなるのを抑制することができる。
【図面の簡単な説明】
【００２０】
【図１】画像読取装置を備えた画像形成装置の全体構成を示す正面図である。
【図２】画像読取装置を備えた画像形成装置の一部を拡大して示す正面図である。
【図３】画像読取装置の要部を示す平面図である。
【図４】画像読取装置の要部を示す断面図である。
【発明を実施するための形態】
【００２１】
以下、本発明に係る実施の形態について、図面を基に詳細に説明する。なお、図１に示されるように、画像形成装置１０を正面から見て、矢印ＲＩは右方向、矢印ＬＥは左方向、矢印ＵＰは上方向、矢印ＤＯは下方向とする。また、図３に示されるように、画像読取装置１００を平面から見て、矢印ＦＲは前方向、矢印ＲＥは後方向とする。また、以下において、記録媒体（記録用紙Ｐ）の搬送方向上流側を、単に「上流側」と言い、記録媒体（記録用紙Ｐ）の搬送方向下流側を、単に「下流側」と言う場合がある。
【００２２】
図１に示されるように、画像形成装置１０は、複数のフレーム部材及びパネル部材で構成された筐体としての画像形成装置本体１０Ａを備えている。そして、画像形成装置本体１０Ａの下側には、記録媒体の一例としての記録用紙Ｐが収容される用紙収容部１２が配置されており、用紙収容部１２の上側には、後述する主動作部１６へ記録用紙Ｐを搬送する搬送部１４が配置されている。
【００２３】
搬送部１４の上側には、用紙収容部１２から供給される記録用紙Ｐに画像を形成する主動作部１６が配置されており、主動作部１６の上側には、原稿（図示省略）を読み取る画像読取装置１００が配置されている。また、主動作部１６内には、画像形成装置１０及び画像読取装置１００の各部の動作を制御する制御部１８が設けられている。
【００２４】
用紙収容部１２は、サイズの異なる記録用紙Ｐをそれぞれ収容可能な第１収容部２２、第２収容部２４、及び第３収容部２６を備えている。そして、搬送部１４は、第１収容部２２、第２収容部２４、及び第３収容部２６にそれぞれ収容されたサイズの異なる記録用紙Ｐを搬送する送出ロール３２、搬送ロール３４、３６、及び位置合わせロール３８等を備えている。
【００２５】
詳細に説明すると、第１収容部２２、第２収容部２４、及び第３収容部２６の左側上端部には、収容された記録用紙Ｐを１枚ずつ送り出す送出ロール３２がそれぞれ配置されている。そして、送出ロール３２の下流側には、送り出された記録用紙Ｐを搬送部１４の搬送路３０に搬送する搬送ロール３４がそれぞれ配置されている。
【００２６】
各搬送ロール３４の下流側における搬送路３０には、記録用紙Ｐを１枚ずつ搬送する搬送ロール３６が配置されている。そして、搬送ロール３６の下流側には、記録用紙Ｐを一旦停止させるとともに、決められたタイミングで、後述する二次転写位置へ記録用紙Ｐを送り出し、画像の転写位置を位置合わせする位置合わせロール３８が配置されている。
【００２７】
また、搬送路３０の後述する定着装置８０よりも下流側で、かつ排紙部２８よりも上流側には、記録用紙Ｐの裏面に画像を形成する際に、記録用紙Ｐが搬送及び反転される両面搬送路４０が接続されている。なお、搬送路３０と両面搬送路４０との間には、搬送路３０から両面搬送路４０へ記録用紙Ｐを導入させるための導入部材（図示省略）が設けられている。
【００２８】
両面搬送路４０は、画像形成装置１０の正面視において、下方へ向けて直線状に形成され、表面に画像が形成された記録用紙Ｐを一時的に貯留する反転部４２を備えている。そして、両面搬送路４０は、右方から左方へ向けて略直線状に形成され、反転部４２に貯留された記録用紙Ｐを再度搬送ロール３６へ供給する供給路４４を備えている。供給路４４によって搬送ロール３６へ再度送られた記録用紙Ｐは、後述する二次転写位置にて、その裏面にも画像が転写される。
【００２９】
図１、図２に示されるように、主動作部１６は、記録用紙Ｐ上にトナー画像を形成する画像形成部５０と、画像形成部５０によって記録用紙Ｐ上に形成されたトナー画像を熱と圧力により記録用紙Ｐに定着する定着装置８０と、を備えている。
【００３０】
画像形成部５０は、イエロー（Ｙ）、マゼンタ（Ｍ）、シアン（Ｃ）、及びブラック（Ｋ）の各トナーに対応した像保持体５４Ｙ、５４Ｍ、５４Ｃ、５４Ｋを備える画像形成ユニット５２Ｙ、５２Ｍ、５２Ｃ、５２Ｋと、像保持体５４Ｙ、５４Ｍ、５４Ｃ、５４Ｋの外周面へ光ビームＬを照射して、その外周面を露光する露光ユニット６２Ｙ、６２Ｍ、６２Ｃ、６２Ｋと、像保持体５４Ｙ、５４Ｍ、５４Ｃ、５４Ｋの外周面に形成されたトナー画像を記録用紙Ｐ上に転写する転写ユニット６４と、を含んで構成されている。
【００３１】
なお、以下において、イエロー（Ｙ）、マゼンタ（Ｍ）、シアン（Ｃ）、及びブラック（Ｋ）の各色を区別して説明する必要がある場合には、符号の数字の後にＹ、Ｍ、Ｃ、Ｋの何れかの英字を付して説明する。また、同様の構成で、Ｙ、Ｍ、Ｃ、Ｋを区別して説明する必要がない場合には、符号の数字の後のＹ、Ｍ、Ｃ、Ｋの英字を省略して説明する。
【００３２】
画像形成ユニット５２は、前後方向が軸方向とされ、モーター（図示省略）の駆動により矢印Ｒ方向（図示の時計回り方向）に回転可能とされた円柱状の像保持体５４と、像保持体５４の外周面と対向して、その回転方向上流側から下流側へ順に配置された帯電器５６、現像器５８、及びクリーニング装置６０と、を含んで構成されている。
【００３３】
露光ユニット６２は、光源（図示省略）から出射された光ビームＬを、図示しない回転多面鏡（ポリゴンミラー）で走査し、反射ミラー６３を含む複数の光学部品で反射して、像保持体５４の外周面へ照射する構成となっている。なお、像保持体５４は、露光ユニット６２の下方側に設けられている。
【００３４】
また、露光ユニット６２から出射された光ビームＬは、帯電器５６と現像器５８との間における像保持体５４の外周面に照射されるようになっている。更に、現像器５８とクリーニング装置６０との間における像保持体５４の外周面には、後述する中間転写ベルト６６が接触している。
【００３５】
帯電器５６は、一例として、ワイヤーに電圧を印加してコロナ放電により像保持体５４の外周面をトナーと同極性に帯電させるコロトロン方式の帯電手段で構成されている。そして、帯電した像保持体５４の外周面に画像データに基づいて光ビームＬが照射されることにより、静電潜像が形成されるようになっている。
【００３６】
現像器５８は、一例として、磁性体からなるキャリア粒子とマイナスに帯電したトナーとが混合された現像剤を収容しており、周方向に複数の磁極を有するマグネットロール（図示省略）が内側に設けられた円筒状の現像スリーブ５９を備えている。そして、現像器５８は、現像スリーブ５９が回転することにより像保持体５４と対向する部位で磁気ブラシを形成するようになっている。
【００３７】
更に、現像器５８は、電圧印加手段（図示省略）により現像スリーブ５９に現像バイアスが印加されることで、像保持体５４の外周面の静電潜像をトナーで顕在化させてトナー画像（現像剤像）を形成するようになっている。なお、各色の現像器５８には、画像形成部５０の上側に設けられた各色のトナーカートリッジ８８からそれぞれトナーが供給されるようになっている。
【００３８】
クリーニング装置６０は、像保持体５４の外周面と接触するクリーニングブレード６１を備えており、像保持体５４の外周面に残留したトナーをクリーニングブレード６１で掻き落として回収するようになっている。また、像保持体５４の回転方向で現像器５８よりも下流側には、現像器５８で現像されたトナー画像が一次転写される中間転写ベルト６６が設けられている。
【００３９】
図１に示されるように、転写ユニット６４は、無端状の中間転写ベルト６６と、像保持体５４から中間転写ベルト６６上にトナー画像を一次転写させる一次転写ロール６８と、中間転写ベルト６６上に順次重ねられたトナー画像を記録用紙Ｐへ二次転写させる二次転写ロール７０及び補助ロール７２と、を含んで構成されている。
【００４０】
また、中間転写ベルト６６の内側には、回転駆動される駆動ロール７４と、回転自在に構成された複数の従動ロール７６と、が配置されている。そして、中間転写ベルト６６は、一次転写ロール６８Ｙ、６８Ｍ、６８Ｃ、６８Ｋ、駆動ロール７４、従動ロール７６、及び補助ロール７２に巻き掛けられている。中間転写ベルト６６は、駆動ロール７４の回転駆動により、図示の反対時計回り方向に周回移動する構成になっている。
【００４１】
一次転写ロール６８は、一例として、ステンレス鋼などの金属で構成された円柱状のシャフトの周囲に弾性層（図示省略）が設けられた構成とされており、シャフトの両端部がベアリングで支持されることにより回転可能となっている。また、一次転写ロール６８は、電源（図示省略）からシャフトにトナーの極性とは逆極性の電圧（正の電圧）が印加されるようになっている。
【００４２】
二次転写ロール７０は、一例として、一次転写ロール６８と同様の構成とされており、搬送路３０における位置合わせロール３８の下流側に配置されて回転可能に構成されている。そして、二次転写ロール７０は、二次転写位置にて、補助ロール７２とで中間転写ベルト６６を挟むようにして、その中間転写ベルト６６の表面（外面）に接触している。
【００４３】
また、補助ロール７２は、二次転写ロール７０の対向電極を形成するようになっており、補助ロール７２の外周面に接触配置された金属製の給電ロール（図示省略）を介して二次転写電圧（負の電圧）が印加されるようになっている。そして、補助ロール７２に二次転写電圧が印加され、補助ロール７２と二次転写ロール７０との間に電位差が生じることにより、二次転写ロール７０と中間転写ベルト６６との接触部に搬送される記録用紙Ｐ上に中間転写ベルト６６上のトナー画像が二次転写されるようになっている。
【００４４】
また、二次転写ロール７０よりも下流側には、トナー画像の二次転写が終了した記録用紙Ｐを定着装置８０へ搬送する搬送ベルト７８が設けられている。搬送ベルト７８は、支持ロール４６と駆動ロール４８とに巻き掛けられており、定着装置８０へ記録用紙Ｐを搬送するように周回移動されている。
【００４５】
定着装置８０は、記録用紙Ｐに転写されたトナー画像を加熱して定着する定着ベルト８４を備えた加熱ベルト機構８２と、記録用紙Ｐを定着ベルト８４に向けて加圧する加圧ロール８６と、を有している。したがって、記録用紙Ｐに転写されたトナー画像は、定着ベルト８４と加圧ロール８６とによって記録用紙Ｐが搬送されつつ加熱及び加圧されることにより、その記録用紙Ｐに定着される。
【００４６】
次に、画像読取装置１００について説明する。図１に示されるように、画像読取装置１００は、複数枚の原稿（図示省略）を置くことが可能な原稿置台１０２と、１枚の原稿が載せられるプラテンガラス１０４と、プラテンガラス１０４上に載せられた原稿を読み取る原稿読取部１０６と、読み取られた原稿が排出される原稿排出部１０８と、を備えている。
【００４７】
図２に示されるように、原稿読取部１０６は、複数のフレーム部材及びパネル部材で構成された筐体としての画像読取装置本体１００Ａを備えている。画像読取装置本体１００Ａ内には、プラテンガラス１０４上に載せられた原稿に光を照射する光照射部１１０と、光照射部１１０によって照射されて原稿で反射された反射光をプラテンガラス１０４と平行な方向に反射させて折り返す１個のフルレートミラー１１２及び２個のハーフレートミラー１１４と、が設けられている。
【００４８】
更に、原稿読取部１０６は、フルレートミラー１１２及びハーフレートミラー１１４によって折り返された反射光が入射する結像レンズ１１６と、結像レンズ１１６によって結像された反射光を電気信号に変換する光電変換素子１１８と、を備えている。なお、結像レンズ１１６と対向して配置される光電変換素子１１８は、基板１２０の図２における左方を向く面側に設けられている。また、少なくとも結像レンズ１１６と、光電変換素子１１８を備えた基板１２０と、を含んで結像系１２８が構成されている。
【００４９】
また、図２に示されるように、画像読取装置１００は、トナーカートリッジ８８の上側に設けられている。すなわち、トナーカートリッジ８８と画像読取装置１００との間には、画像形成装置本体１０Ａの上部を覆うパネル部材（図示省略）などが設けられておらず、画像読取装置１００は、トナーカートリッジ８８の上面側に直接的に配置されている。
【００５０】
詳細に説明すると、画像読取装置本体１００Ａにおいて、基板１２０が配置されている部位の直下における底壁は、他の部位の直下における底壁１２２よりも下方へ突出された突出底壁１２６とされている。なお、底壁１２２と突出底壁１２６とは連結壁１２４（図４参照）によって一体に連結されている。
【００５１】
そして、この突出底壁１２６が、トナーカートリッジ８８Ｙとトナーカートリッジ８８Ｍとの間に配置されるようにして、画像読取装置本体１００Ａが、トナーカートリッジ８８Ｙ、８８Ｍ、８８Ｃ、８８Ｋの上面側に直接的に配置されている。なお、連結壁１２４がトナーカートリッジ８８と上下方向でオーバーラップしているが、トナーカートリッジ８８Ｙとトナーカートリッジ８８Ｍとの間には空隙部があり、その空隙部が画像形成装置本体１０Ａに形成された、突出底壁１２６を受け入れる受入部２０となっている。
【００５２】
図３、図４に示されるように、基板１２０は、本実施形態における装置の前後方向が長手方向とされた長尺状に形成されている。そして、基板１２０の図４における右方を向く面側の上端部には、配線の一例としてのワイヤーハーネス１３６、１３８の一端部１３６Ｂ、１３８Ｂが接続されている。
【００５３】
一例として、前側のワイヤーハーネス１３６は電源用であり、後側のワイヤーハーネス１３８は画像データを送る電気信号用である。したがって、光電変換素子１１８によって変換された電気信号は、後側のワイヤーハーネス１３８によって画像形成装置１０へ送られて画像処理されるようになっている。
【００５４】
また、各ワイヤーハーネス１３６、１３８は、それぞれ基板１２０の下方側を通るように折り返されて引き回されている。このように、基板１２０の下方側を通すことで、図４における右方向に配線によってできるスペースを増やし、画像読取装置１００の幅が増加してしまうことを抑制している。
【００５５】
詳細に説明すると、各ワイヤーハーネス１３６、１３８は、基板１２０の図４における右方を向く面側の上端部から下方へ引き回され、更に後述するアースプレート１４０と基板１２０の下端部１２０Ａとの間を通って基板１２０の左方へ引き回されており、各ワイヤーハーネス１３６、１３８の他端部（図示省略）は、画像形成装置１０に接続されている。そして、基板１２０よりも右側に位置する各ワイヤーハーネス１３６、１３８の下端部には、前後方向から見て、それぞれ湾曲状（円弧状）又は屈曲状に折り返された折返部１３６Ａ、１３８Ａが形成されている。
【００５６】
また、図３、図４に示されるように、画像読取装置本体１００Ａの内部には、アースプレート１４０が設けられている。アースプレート１４０は、略矩形平板状の底壁１４２の周囲に周壁１４４が一体に形成されて構成された、上方が開口した金属製で導電性の筐体であり、底壁１４２の右側（基板１２０の直下）部分は、連結壁１２４及び突出底壁１２６に沿って下方へ突出されている。
【００５７】
そして、前後方向から見て、基板１２０よりも右側に位置するアースプレート１４０の周壁１４４の下端部には、上下方向（鉛直方向）に対して予め決められた角度で傾斜する傾斜部の一例としての傾斜壁１４６が、一体に、かつ前後方向全体に亘る長さで形成されている。この傾斜壁１４６の内面に、ワイヤーハーネス１３６、１３８の折返部１３６Ａ、１３８Ａが、自重により、ワイヤーハーネス１３６、１３８の幅方向で常時線接触するようになっている。
【００５８】
つまり、ワイヤーハーネス１３６、１３８がアースプレート１４０の傾斜している部分に常に接地されるようになっている。なお、図４に示されるように、アースプレート１４０の底壁１４２の左側部分で、かつ前後方向中央部分における上面には、光軸を左右方向に向けた結像レンズ１１６が取り付けられている。
【００５９】
また、アースプレート１４０の外側には、金属製（導電性）のカバー体１３０が設けられている。カバー体１３０は、矩形平板状の天壁１３２の周囲に周壁１３４が一体に形成されて構成された、下方が開口した筐体であり、アースプレート１４０よりも一回り大きく形成されている。したがって、カバー体１３０は、アースプレート１４０に対して蓋をして、アースプレート１４０とワイヤーハーネス１３６、１３８と基板１２０等を覆う構成になっている。
【００６０】
詳細に説明すると、アースプレート１４０の周壁１４４の上端面１４４Ａが、カバー体１３０の天壁１３２の内面に接触する構成になっている。なお、それらは必ずしも接触していなくてもよく、他の部位で支持されていてもよい。そして、カバー体１３０の周壁１３４における下端部１３４Ａが、アースプレート１４０における傾斜壁１４６の下端部１４６Ａとほぼ同じ高さ位置まで延在されている。
【００６１】
このアースプレート１４０の周壁１４４とカバー体１３０の周壁１３４とにより、電磁波ノイズが他の部分と直線で繋がってしまわないように、電磁波ノイズが発生した際に、その電磁波ノイズが通る経路を複雑化する所謂ラビリンス構造が構成されるようになっている。
【００６２】
また、アースプレート１４０における傾斜壁１４６の下端部１４６Ａとカバー体１３０の周壁１３４における下端部１３４Ａとが、底壁１２２よりも下方へ延在されている。すなわち、傾斜壁１４６の下端部１４６Ａとカバー体１３０の下端部１３４Ａとが、突出底壁１２６の底面１２６Ａに接触する位置まで延在されている。これにより、カバー体１３０の周壁１３４と連結壁１２４とによるラビリンス構造が構成され、ラビリンス構造全体が複雑化されるようになっている。
【００６３】
以上のような構成とされた画像読取装置１００を備えた画像形成装置１０において、次に、主にワイヤーハーネス１３６、１３８の接地構造に関する作用について説明する。
【００６４】
原稿をコピー（又はスキャン）する際には、原稿を画像読取装置１００の原稿置台１０２に置くか、又はプラテンガラス１０４上に置き、図示しない操作パネルを操作して、コピーを開始する。すなわち、原稿読取部１０６によって原稿を読み取る。そして、読み取った画像データを主動作部１６へ送る。
【００６５】
すると、各像保持体５４の外周面が、各帯電器５６によって帯電されるとともに、送られた画像データに応じて各露光ユニット６２から出射された光ビームＬによって露光される。これにより、各像保持体５４の外周面に静電潜像が形成される。そして、各像保持体５４の外周面に形成された静電潜像は、各現像器５８によって、それぞれイエロー（Ｙ）、マゼンタ（Ｍ）、シアン（Ｃ）、及びブラック（Ｋ）の各色のトナー画像として現像される。
【００６６】
次いで、各像保持体５４の外周面に形成された各トナー画像は、一次転写位置にて、各一次転写ロール６８によって中間転写ベルト６６上に順次転写される。そして、中間転写ベルト６６上に多重転写されたトナー画像は、二次転写位置にて、搬送路３０を搬送されて来た記録用紙Ｐの表面に二次転写ロール７０及び補助ロール７２によって二次転写される。
【００６７】
トナー画像が表面に転写された記録用紙Ｐは、搬送ベルト７８により定着装置８０に向けて搬送される。そして、定着装置８０により、記録用紙Ｐの表面のトナー画像が加熱及び加圧される。これにより、トナー画像が記録用紙Ｐの表面に定着される。トナー画像が定着された記録用紙Ｐは、排紙部２８に排出される。こうして、一連の画像形成工程が完了する。
【００６８】
なお、記録用紙Ｐの画像が形成されていない裏面にトナー画像を形成する場合（両面印刷の場合）には、表面にトナー画像が定着された記録用紙Ｐが両面搬送路４０に送り込まれる。そして、その記録用紙Ｐは、両面搬送路４０によって再度搬送ロール３６へ搬送され、二次転写位置にて、裏面にトナー画像が転写される。裏面にトナー画像が転写された記録用紙Ｐは、定着装置８０により、そのトナー画像が定着され、その後、排紙部２８に排出される。
【００６９】
ここで、図３、図４に示されるように、光電変換素子１１８を有する基板１２０の上端部には、ワイヤーハーネス１３６、１３８の一端部１３６Ｂ、１３８Ｂがそれぞれ接続されている。そして、各ワイヤーハーネス１３６、１３８の折返部１３６Ａ、１３８Ａが、それぞれアースプレート１４０の傾斜壁１４６の内面に常時線接触している。
【００７０】
つまり、各ワイヤーハーネス１３６、１３８の折返部１３６Ａ、１３８Ａは、結像レンズ１１６に対する光電変換素子１１８を有する基板１２０の図４における左右方向の位置調整や、各ワイヤーハーネス１３６、１３８の長さにそれぞれ誤差があっても、自重により、傾斜壁１４６の内面から離れることがなく、常にその内面のどこかに接地されている。したがって、各ワイヤーハーネス１３６、１３８から発生する電磁波ノイズが低減される。
【００７１】
また、アースプレート１４０の外側には、カバー体１３０が設けられており、アースプレート１４０の周壁１４４とカバー体１３０の周壁１３４とで、ラビリンス構造が構成されている。すなわち、アースプレート１４０の周壁１４４の上端面１４４Ａが、カバー体１３０の天壁１３２の内面に接触し、カバー体１３０の周壁１３４における下端部１３４Ａが、アースプレート１４０における傾斜壁１４６の下端部１４６Ａとほぼ同じ高さ位置まで延在されている。
【００７２】
したがって、ワイヤーハーネス１３６、１３８から発生し、アースプレート１４０で低減された電磁波ノイズは、そのラビリンス構造によって減衰される。つまり、このような構成によれば、ワイヤーハーネス１３６、１３８から発生して画像読取装置１００の外部へ漏れる電磁波ノイズが低減される。
【００７３】
なお、本実施形態のように、アースプレート１４０における傾斜壁１４６の下端部１４６Ａとカバー体１３０における周壁１３４の下端部１３４Ａとが、底壁１２２よりも下方へ（突出底壁１２６の底面１２６Ａに接触する位置まで）延在されていると、その突出底壁１２６の周囲に一体に連結された連結壁１２４によってラビリンス構造が複雑化されるため、ワイヤーハーネス１３６、１３８から発生して画像読取装置１００の外部へ漏れる電磁波ノイズが更に低減される。
【００７４】
また、図２に示されるように、画像読取装置本体１００Ａと画像形成装置本体１０Ａとの間には、パネル部材などが設けられておらず、かつ画像読取装置本体１００Ａの突出底壁１２６は、トナーカートリッジ８８Ｙとトナーカートリッジ８８Ｍの間の受入部２０に配置されている。
【００７５】
したがって、画像形成の高速化や画像の高画質化、更には消耗品の長寿命化等を図ることにより、主動作部１６の領域が拡大されても、画像読取装置本体１００Ａと画像形成装置本体１０Ａとの間にパネル部材が設けられている構成に比べて、床からの画像読取装置１００の高さ位置が高くなるのが抑制又は防止される。
【００７６】
つまり、画像読取装置１００に対する操作性を損なうことなく、画像形成の高速化等が実現される。なお、画像読取装置本体１００Ａと画像形成装置本体１０Ａとの間には、パネル部材などが設けられない構成であるため、パネル部材が設けられる構成に比べて、製造コストの低減が図れる利点もある。
【００７７】
以上、本実施形態に係る画像読取装置１００及び画像形成装置１０について、図面を基に説明したが、本実施形態に係る画像読取装置１００及び画像形成装置１０は、図示のものに限定されるものではなく、本発明の要旨を逸脱しない範囲内において、適宜設計変更可能なものである。
【００７８】
例えば、アースプレート１４０の傾斜壁１４６は、ワイヤーハーネス１３６、１３８の折返部１３６Ａ、１３８Ａが線接触する前後方向両端部にだけ形成される構成とされていてもよく、アースプレート１４０は、図示の形状に限定されるものではない。また、ワイヤーハーネス１３６、１３８の本数も、図示の２本に限定されるものではない。
【００７９】
また、ワイヤーハーネス１３６、１３８を、基板１２０の下側を通さずに、図４における右側に折り曲げて、その折り曲げた部分に傾斜壁１４６を接触させるようにしてもよい。このような構成にすると、原稿読取部１０６の高さを抑制することができる。更に、ワイヤーハーネス１３６、１３８を傾斜壁１４６に接触させたら、それ以上は折り曲げず、カバー体１３０の外側に引き回すようにしてもよい。また、接地部の一例として、傾斜壁１４６のみを金属で構成してその金属を接地させ、他の部分はプラスチックで構成してもよい。
【００８０】
また、本実施形態は、光電変換素子１１８が配置された基板１２０が固定されている所謂ＣＣＤ方式に限らず、光電変換素子１１８が配置された基板１２０が原稿に沿って移動する所謂ＣＩＳ方式に適用してもよい。なお、その場合で、静止原稿を読み取る場合には、光電変換素子１１８が配置された基板１２０自体は、静止原稿を読み取る際に移動してしまうので、移動しない部分に接地部を設けるとよい。
【符号の説明】
【００８１】
１０  画像形成装置
１０Ａ  画像形成装置本体
２０  受入部
１００  画像読取装置
１００Ａ  画像読取装置本体
１１６  結像レンズ
１１８  光電変換素子
１２０  基板
１２２  底壁
１２６  突出底壁
１３０  カバー体
１３６  ワイヤーハーネス（配線の一例）
１３６Ａ  折返部
１３８  ワイヤーハーネス（配線の一例）
１３８Ａ  折返部
１４０  アースプレート
１４６  傾斜壁（傾斜部の一例）
【図１】
2015186132.tif 000003
【図２】
2015186132.tif 000004
【図３】
2015186132.tif 000005
【図４】
2015186132.tif 000006